Podtech/llm-jp-corpus-v4-ja_patent huggingface dataset:
(57)【要約】      （修正有）【課題】取り出し作業中に起きる錠剤の詰まり現象を抑える錠剤容器の蓋を提供する。【解決手段】錠剤容器７の蓋１に、下向きに突起した天板２と、天板に逆Ｕ字型の溝３を設ける。錠剤容器を下向きにして錠剤９を取り出す際、天板が、落下してくる錠剤の一部を受け止めて錠剤集団が一気に溝に入り込むことを抑え、さらに、溝が、天板の横を通過して落下してくる錠剤の先頭集団のうち、溝一列分を収容して３面を壁で囲うことで溝内の錠剤の摩擦力を減衰させて次々と取り出し口４に移動させる。追随する錠剤間の間隙が広がり錠剤が動き易くなり詰まり現象を抑える。【選択図】図２
0003204745.tif 000002
【実用新案登録請求の範囲】
【請求項１】
錠剤容器の蓋にあって、蓋に下向きに突起した天板と、天板に逆Ｕ字型の溝を設けたことを特徴とする蓋。
【考案の詳細な説明】
【技術分野】
【０００１】  本考案は、錠剤容器から錠剤を取り出す蓋に関する。
【背景技術】
【０００２】  通常、薬など円盤状や球状に成型された錠剤の多くは蓋付きの容器に収容されている。この容器から錠剤を取り出す場合は、蓋を外した後に容器を下向きにして取り出すため必要以上に錠剤が落下することが多く、不要分は再び容器に戻す動作が必要であり取り出し作業が煩雑である。このため、取り出し機能を有した蓋や容器が考案、実施されているが、これらは錠剤を取り出す際、容器を下向きにして取り出し機能が組み込まれている蓋付近に落下させて取り出し口から取り出す方法であるため、錠剤を落下させる際、蓋付近に大量の錠剤が積み重なり動かなくなる詰まり現象が起こり、取り出し口に必要な錠剤を送り込むことができなくなることが頻繁に発生し、安定して錠剤を取り出すことができない。この点を解消するため、取り出し口付近に積み重なった錠剤を撹拌レバーを設けて撹拌することにより、錠剤を強制的に移動させて詰まり現象の発生を抑え、安定した取り出しを確保しようとしたものがある。（例えば、特許文献１（参照）。）
【先行技術文献】
【特許文献】
【０００３】
【特許文献１】特開２０００−２２６０５２
【考案の概要】
【考案が解決しようとする課題】
【０００４】  以上に述べた従来の取り出し方法では、取り出し中の錠剤の詰まり現象を抑える効果に課題が残り、また、構造が複雑なため部品点数が多く製造コストが高くなる課題が残る。【０００５】  本考案は、このような従来の構成が有した課題を解決しようとするものであり、錠剤容器を下向きにして錠剤を取り出す際の詰まり現象の発生を抑え、安定して錠剤を取り出すことができ、且つ、安価で作業性の良い蓋を提供することを目的とする。
【課題を解決するための手段】
【０００６】  本考案は、上記の目的を達成するための蓋に関するもので、下向きに突起した天板と、天板に逆Ｕ字型の溝を設け、溝の先端から下向きに取り出し口を組み込んだ蓋を錠剤容器に装着して使用することで目的を達成するものである。【０００７】  上記の課題解決手段による作用は次の通りである。すなわち、錠剤容器を下向きにして錠剤を取り出す際、本考案の蓋を錠剤容器に装着して使用すると、蓋に設けた天板が、落下してくる錠剤の一部を受け止めて錠剤集団が一気に溝に入り込むことを抑え、さらに、溝が、天板の横を通過して落下してくる錠剤の先頭集団のうち、溝一列分の錠剤を収容して３面を壁で囲うことで溝内の錠剤の摩擦力を減衰させて次々と取り出し口に移動させることから、追随する錠剤間の間隙が広がり錠剤が動き易くなることにより詰まり現象を抑えることが可能となる。
【考案の効果】
【０００８】  上述したように、本考案の錠剤容器の蓋は、錠剤を取り出す際に起きる錠剤の詰まり現象を抑えることにより安定して錠剤を取り出すことができ、しかも、構造が簡単で部品点数が少ないため低コストで製作することができる。
【図面の簡単な説明】
【０００９】
【図１】蓋の平面図である。
【図２】錠剤容器に蓋を装着したａ−ａ断面図である。
【図３】錠剤容器に蓋を装着した斜視図である。
【考案を実施するための形態】
【００１０】  以下、本考案の実施形態を図１〜図３に基いて説明する。
【００１１】  図１、図２に示すとおり、錠剤容器開口部を覆う蓋１に突起した天板２と、逆Ｕ字型の溝３と装着部６が設けられ、溝３には取り出し口４が組み込まれている。
【００１２】  天板２は、図２に示すとおり逆円錐台型の形状で、溝３の入口の内壁を底辺に下向きに設けられている。
【００１３】  天板２の形状は、逆ドーム型や円柱型であってもかまわない。
【００１４】  溝３は、図２に示すとおり錠剤９の厚さに若干余裕を持たせた幅と、直径に若干余裕を持たせた深さの逆Ｕ字型の形状で、錠剤容器開口部８の内壁に連続して錠剤容器開口部８に沿って円周の２分の１の長さで形成され、先端に取り出し口４が組み込まれている。
【００１５】  取り出し口４は、錠剤９が溝３から連続して移動できる通路を有する透明な管で、図２に示すように溝３の先端から外側に向けて開口部５が下向きになるよう設けられている。
【００１６】  以下、上記構成の動作を説明する。図３に示すように装着部６を錠剤容器開口部８に装着して使用する。錠剤９を取り出すときは、開口部５を指などで塞ぎ、開口部５が下向きになるよう錠剤容器７を傾けた状態で左右に振り、錠剤９を溝３を経由して取り出し口４に送り込んだ後、錠剤容器７を上向きに戻して開口部５を塞いでいた指などを離して取り出す。
【００１７】  なお、取り出し口４に替えて、錠剤９の取り出しを制御する機構を組み込んでもかまわない。
【符号の説明】
【００１８】１蓋
２天板
３溝
４取り出し口
５開口部
６装着部
７錠剤容器
８錠剤容器開口部
９錠剤
【図１】
0003204745.tif 000003
【図２】
0003204745.tif 000004
【図３】
0003204745.tif 000005
(57)【要約】      （修正有）【課題】太くて短いゴルフグリップ、重いヘッドでフェイスに短い３本のスコアラインを設け、総長が短いゴルフクラブで腋が締まった片手打ち練習をする事によりオンプレーンスイングとスライス打球の軽減と芯で打つ事を体得できるワンハンドグリップアイアンを提供する。【解決手段】ワンハンドグリップアイアンは、グリップエンド外径３４〜４０ｍｍ、グリップ口外径２７〜３０ｍｍ、長さ１４８〜１５５ｍｍの太くて短いゴルフグリップを有し、重量３００〜３２０グラムの重いアイアンヘッドでフェイスに長さ４０ｍｍの３本のスコアラインを設けた総長７８０ｍｍ〜８５０ｍｍの重く短い練習用アイアンクラブである。【選択図】図１
0003204750.tif 000002
【実用新案登録請求の範囲】
【請求項１】
グリップエンド外径３４〜４０ｍｍグリップ口外径２７〜３０ｍｍ長さ１４８〜１５５ｍｍのゴルフグリップ、重量３００〜３２０グラムのアイアンヘッドを備え、アイアンヘッドのフェイスに複数のスコアラインを設けた総長７８０ｍｍ〜８５０ｍｍ片手打ち練習をする為のワンハンドグリップアイアン。
【考案の詳細な説明】
【技術分野】
【０００１】本考案は、ゴルフの練習時に使用する短く太いグリップ、重いヘッドのフェイス面に３本の短いスコアラインを設けた、アイアンクラブに関する。
【背景技術】
【０００２】ゴルフ練習をする場合、通常は、市販のクラブなどで練習している。
【考案の概要】
【考案が解決しようとする課題】
【０００３】飛距離を伸ばすには腋を締めてスイングするのが有効である。しかし、市販のクラブをスイングするだけでは腋の締まったスイングの練習が効率良く出来ない。
【課題を解決するための手段】
【解決手段】
【０００４】本考案は、グリップエンド外径３４〜４０ｍｍグリップ口外径２７〜３０ｍｍ長さ１４８〜１５５ｍｍの太くて短いゴルフグリップ、重量３００〜３２０グラムの重いアイアンヘッドでフェイスに長さ４０ｍｍの３本のスコアラインを設けた総長７８０ｍｍ〜８５０ｍｍの重い片手打ち練習用アイアングラブで、人差し指をグリップ口の下に引っ掛け片手で握り易く太いグリップの為グリッププレッシャーを緩和させ、且つ中指〜小指の３本の指と手の平で握る事により尺側手根伸筋→上腕三頭筋→広背筋→大胸筋を使いその筋肉の連動により腋の締まったオンプレーンスイングを完成させてスライス打球を軽減させ、両手打ちした時の両手の役割も確認出来、フェイスの短い３本のスコアラインは、フェイスの芯でゴルフボールを打つ事を体得させるスイング改善に役立つ。
【考案の効果】
【０００５】上述の様に、本考案のワンハンドグリップは、従来に無い太くて短いグリップと短いシャフトと重くフェイスに刻んだ３本の短いスコアラインの各パーツの組み合せにより腋の締まったゴルフスイングが体得出来る。
【図面の簡単な説明】
【０００６】
【図１】本考案のワンハンドグリップアイアンの正面図である。
【図２】本考案のワンハンドグリップアイアンのアイアンヘッドの拡大図である。
【考案を実施するための形態】
【０００７】グリップエンド１ａ外径３４〜４０ｍｍグリップ口１ｂ外径２７〜３０ｍｍ長さ１４８〜１５５ｍｍの太くて短いゴルフグリップ１は、人差し指をグリップ口１ｂの下に引っ掛け片手で握り易くグリッププレッシャーを緩和させ中指〜小指の３本の指と手の平で握る事により尺側手根伸筋→上腕三頭筋→広背筋→大胸筋を使いその筋肉の連動により腋の締まったオンプレーンスイングを完成させる形状。重量３００〜３２０グラムの重いアイアンヘッド３は、フェイス３ａに長さ４０ｍｍの３本のスコアライン４があり、フェイス３ａの芯でゴルフボールを打つ事を体得させる形状。シャフト２を加えた総長７８０ｍｍ〜８５０ｍｍの重いワンハンドグリップアイアン１０は、スイング軸を無意識に体感させスライス打球を軽減させる。
【符号の説明】
【０００８】１  ゴルフグリップ
１ａ  グリップエンド
１ｂ  グリップ口
２  シャフト
３  アイアンヘッド
３ａ  フェイス
４  スコアライン
１０  ワンハンドグリップアイアン
【図１】
0003204750.tif 000003
【図２】
0003204750.tif 000004
(57)【要約】      （修正有）【課題】嚥下機能障害の訓練に用いる舌吸引リハビリ用具を提供する。【解決手段】舌吸引リハビリ用具１は、舌を挿入する為の開口部１１と、舌の一部を収納する収納部１２、収納部１２と内腔が気密に接続された接続部１３を備えている。開口部１１は舌の挿入に適した楕円形状が適しており、収納部１２は舌の収納時に、収納部１２内腔が密閉されやすいように、開口部１１から接続部１３にかけて先細りとなることが適している。また、収納部１２は舌が収納しやすい様に上面に比べ下面を短くしても良い。【選択図】図１
0003204772.tif 000002
【実用新案登録請求の範囲】
【請求項１】
嚥下機能障害の訓練に用いる舌吸引リハビリ用具において、舌を挿入する開口部、舌の一部を収納する収納部、吸引チューブとの接続が可能な接続部を有し、収納部と接続部の内腔が気密に接続されていることを特徴とする舌吸引リハビリ用具。
【請求項２】
開口部および収納部の少なくとも１つが、弾性変形可能な部材で作られたことを特徴とする請求項１記載の舌吸引リハビリ用具。
【考案の詳細な説明】
【技術分野】
【０００１】
この発明は、嚥下機能障害の訓練に用いる舌の吸引によるリハビリ用具に関する。
【背景技術】
【０００２】
従来の嚥下機能障害のリハビリ用具は患者が自発的に舌を動かす事によりトレーニングを促すものである。
【先行技術文献】
【特許文献】
【０００３】
【特許文献１】特開２００７−３１９３０３号公報
【０００４】
【特許文献２】特開２０１１−８３５２４号公報
【考案の概要】
【考案が解決しようとする課題】
【０００５】
しかしながら、胃瘻等で長い期間口から食べ物を食べていなかった患者の場合、舌の筋肉が固まり、自発的に舌を動かす事が難しいケースがあり、以上の技術では、患者の自発的な舌の動きが不可欠な為、訓練が開始できないという課題があった。
【０００６】
一方で舌は敏感な器官であるため、ピンセットのような硬質の器具で舌を掴む事は避ける必要があり、現状では介助者が患者の口に指を挿入し、舌をリハビリしていたが、長時間手を患者の口に挿入する事は、患者、術者共に苦痛を伴う訓練となっている。
【０００７】
そこで、この発明は、自発的に舌が動かせない患者に対しても、患者、術者共に負担が少なく、舌のリハビリを行うことを課題とする。
【課題を解決するための手段】
【０００８】
以上の課題を解決するために、舌を吸引操作により牽引可能な舌収納部を設けたことを特徴とする。
【考案の効果】
【０００９】
本発明によれば、自発的に舌が動かせない患者に対しても、患者の舌を傷つける事なく、また、術者にも負担が無い体勢で、舌を前後や上下左右等に動かす事が可能となる。
【図面の簡単な説明】
【００１０】
【図１】この発明の第一の実施形態の外観図である。
【図２】この発明の第一の実施形態を示すシステム図である。
【図３】この発明の第一の実施形態を示す装着図である。
【考案を実施するための形態】
【００１１】
この発明の一実施形態を図１に示す。
舌吸引リハビリ用具１は、舌を挿入する為の開口部１１と、舌の一部を収納する収納部１２、収納部１２と内腔が気密に接続された接続部１３を備えている。開口部１１は舌の挿入に適した楕円形状が適しており、収納部１２は舌の収納時に、収納部１２内腔が密閉されやすいように、開口部１１から接続部１３にかけて先細りとなることが適している。また、収納部１２は舌が収納しやすい様に上面に比べ下面を短くしても良い。
【００１２】
接続部１３は吸引ポンプ２１と接続され、舌を収納部１２に挿入した状態で陰圧をかける事で収納部１２の内腔が陰圧となり、その陰圧状態を維持したまま、接続部１３に接続された吸引チューブ２２を動かす操作で、患者の舌を動かす事が可能となる。
【００１３】
開口部１１および収納部１２は弾性変形可能な素材（シリコン等）とすることで、患者の舌を傷つけること無く、舌の牽引操作が可能となる。また、術者にとっても患者の口に長時間指を入れる必要がなく、無理の無い体勢でリハビリが行える効果もある。
【００１４】
「実施形態の効果」
この実施形態によれば、胃瘻等で長い期間、口から食べ物を食べていなかった患者で、舌が固着しているケースにおいても、舌を収納部１２に収納した状態で、吸引ポンプ２１による陰圧をかける事で、舌を前後左右上下に移動させることが可能となる。この操作を繰り返し行うことで、固着した舌の筋肉がほぐれ、徐々に患者自身が舌を動かす事が可能となり、再び口から食べることを実現できる効果がある。
【符号の説明】
【００１５】
１・・・舌吸引リハビリ用具
２・・・吸引装置
３・・・患者口周辺部
１１・・・開口部
１２・・・収納部
１３・・・接続部
２１・・・吸引ポンプ
２２・・・吸引チューブ
３１・・・舌
【図１】
0003204772.tif 000003
【図２】
0003204772.tif 000004
【図３】
0003204772.tif 000005
(57)【要約】      （修正有）【課題】車いすの肘掛け上部に装着して使用者の腕へのダメージを防止できる車いす用腕保護具を提供する。【解決手段】覆設体にて覆われた長辺と短辺を有する板状のクッション体からなる本体の短辺近傍上面に、本体より所定距離を有してその端が位置する一対の結び紐を、互いに平行に設けたことを特徴とする。【選択図】図６
0003204764.tif 000002
【実用新案登録請求の範囲】
【請求項１】
覆設体にて覆われた長辺と短辺を有する板状のクッション体による本体を設け、該本体の短辺近傍上面に、本体より所定距離を有してその端が位置する一対の結び紐を、互いに平行として設けたことを特徴とする車いす用腕保護具。
【請求項２】
１本の結び紐における端部を、、結び紐端の本体側面からの距離を違えて設けてなる請求項１記載の車いす用腕保護具。
【請求項３】
クッション体を低反発素材にて形成してなる請求項１または２記載の車いす用腕保護具。
【考案の詳細な説明】
【技術分野】
【０００１】  この考案は、車いすの肘掛けに装着して用いる、腕保護具に関する。
【背景技術】
【０００２】  従来より、車いすが多用されているが、この車いすの肘掛けに装着して用いる腕保護具は見当たらない。
【考案の概要】
【考案が解決しようとする課題】
【０００３】  上述のように車いすが多用されており、これには肘掛けが備わっている。
この肘掛けには若干のクッション部分がついているものと、クッション部分の無いものとに大別される。後者は比較的施設等にて多用されるが、車いすで一日の大半を過ごされる方にとっては、この肘掛けに問題がある。
すなわち、肘掛け素材が固いために、この肘掛けに押圧接触する腕の皮膚に内出血や傷ができやすく、とりわけ、半身の不自由な硬縮のある方にとっては大きな問題である。
上記の問題解決のために、応急的な手法として、肘掛けにバスタオルを巻いて、強度のある堅めのテープにて縛る方法がとられているが、その着脱がめんどうであり、外観的にも好ましくないなどの問題を有しているが、これに対する適当な手段が見当たらないのが現状である。
本案は以上に鑑み、着脱の容易性と腕保護の確実性および外観的良好さを有する新規かつ有用なる手段を提供することを目的として考案されたものである。
【課題を解決するための手段】
【０００４】  課題を解決する手段として本案は以下の構成とした。
すなわち、覆設体にて覆われた長辺と短辺を有する板状のクッション体による本体を設け、該本体の短辺近傍上面に、本体より所定距離を有してその端が位置する一対の結び紐を、互いに平行として設ける。本案は以上の構成よりなる車いす用腕保護具である。
【考案の効果】
【０００５】  本案は、下記の効果を有する。
１．所定厚のクッション性を有する本体を車いすの肘掛け上部に装着する方式のため、そ  のクッション性により腕への押圧接触をソフトにして、使用者の腕に対するダメージを  防止することができる。
２．結び紐や面ファスナーによる装着とすることで、車いすに対する装着の確実性と容易  性が得られる。
３．覆設体をデザインに配慮して構成することにより、使用時外観を良好とすることがで  きる。
４．本体の上面と下面のいずれかを上面として装着できるので、使用期間を長くすること  ができる。
【図面の簡単な説明】
【０００６】
【図１】  本考案の平面図
【図２】  本考案の正面図
【図３】  本考案の底面図
【図４】  本考案の要部構造説明図
【図５】  本考案の要部構造説明図
【図６】  本考案の使用説明図
【考案を実施するための最良の形態】
【０００７】  以下、本考案の実施形態について説明する。
図において、１は本体で、直方体形状及び板状の低反発発泡合成樹脂によるクッション体２にて、主体が形成される。この主体は布体による覆設体３にて全体が覆われている。
この覆設体は、２枚の長方形状同形の布体を、本体の側面中程の位置にて縫合して袋状に設けられ、この布体表面には各々異なる模様が表現されている。
４は結び紐で、所定幅所定長の細長布体により設けられ、その左右の長さは本体平面視において異なっている。この結び紐は図１にて示されるように、本体の短辺近傍上面に対称形に一対が、本体上面に接する部分と本体長辺側面の上半分の位置まで縫着される。
以上が本案の一実施形態構成である。【０００８】  次に、本案の使用について説明する。
本案の使用に際しては、まず車いすの肘掛けの上に本体下面中央をのせ、結び紐を下に回して交差させた後、上方へと回して結びつける。この結び紐の長さを平面視における左と右で違えておくと、この結び位置を正面視にて本体の左もしくは右に設定できて、腕との接触を防ぐことができる。使用時間の経過とともに汚れてくるが、このときは既述と逆の手順にて車いす肘掛け部分から本品を取り外し、洗濯することができる。本品の替えを用意しておけば、スムースな対応ができる。
本案品は、ソフトなクッション性を有する本体を主要部としており、車いすの肘掛けに装着したときは、肘掛けを正面から見て略逆Ｕ字形となり、結び紐にて肘掛け周囲を一回りして装着するため、この本体部分は肘掛けにしっかりと装着固定され、そのクッション性にて使用者の腕へのダメージを防止することができる。【０００９】  以上、本案について記したが、本案はクッション性のある本体を結び紐にて車いすの肘掛けをくるむように取り付けるところにその特徴を有している。従って、従来のような腕へのダメージを防ぐとともに、その外観性も良好なものとなる。
結び紐は既述のように、左右で長さを違えておくことにて、結び目個所を肘掛けの内側もしくは外側とすることができて、使用者の腕にこの結び目が触れることはない。
また、結び紐の適所に面ファスナーを適宜に設けることで、肘掛けへの着脱はより容易となる。本案品は、本体の上面もしくは下面のいずれかを上面として用いることのできるリバーシブル性を有しており、汚れた面を下向きとして再使用ができる。
また、覆設体の一方の布体の模様と他方の布体の模様を違えておくことにて、好みの模様を選択的に用いることができる。さらに、覆設体の長辺側面もしくは短辺側面にスライドファスナーを設けることにて、覆設体の交換を行うことができる。
この考案は、車いすの肘掛け用に考案したものであるが、一般の肘掛けイスにも十分利用することができる。
以上のごとく、本案によって車いす使用者に優しい車いす用の物品を得ることができる。
【符号の説明】
【００１０】    １  本体
２  クッション体
３  覆設体
４  結び紐
１０  管体（肘掛けを構成する既設品）
１１  カバー体（肘掛けを構成する既設品）
１２  車いす
【図１】
0003204764.tif 000003
【図２】
0003204764.tif 000004
【図３】
0003204764.tif 000005
【図４】
0003204764.tif 000006
【図５】
0003204764.tif 000007
【図６】
0003204764.tif 000008
(57)【要約】      （修正有）【課題】自分で手が届かない背面などに薬剤を、他人の手を煩わすことなく塗布できる薬剤塗布器具を提供する。【解決手段】塗布部を保持する支柱部は、自身の手の力を正確に伝えるために弓形に緩く湾曲し、薬剤塗布部５およびその固定部１を含む、全体のおおむね三分の一の長さの部分（以下、ヘッド部３と記す）が、簡単に取り外すことができ、またヘッド部３に固定される薬剤塗布部５は、表裏両面（片面使用も可能）が使用できることを特徴とした薬剤塗布器具である。【選択図】図１
0003204768.tif 000002
【実用新案登録請求の範囲】
【請求項１】
背中等の薬剤塗布困難部位に薬剤を塗布する器具において、薬剤塗布部を保持する支柱部は、弓形に緩く湾曲し、薬剤塗布部およびその固定部を含む、全体のおおむね三分の一の長さの部分（以下、ヘッド部と記す）が、簡単に取り外すことでき、またヘッド部に固定される塗布部は、表裏両面（片面使用も可能）が使用できることを特徴とした薬剤塗布器具。
【考案の詳細な説明】
【技術分野】
【０００１】  この考案は、自分で手が届かない背面などに薬剤を、他人の手を煩わすことなく塗布できる用具に関するものである。
【背景技術】
【０００２】  従来、背中など、自分で手が届かない部分に塗り薬などの薬剤を塗布するには、他人の手を煩わす必要があり、一人暮らしの老人などは、必要な時に塗布するのが困難であった。
また孫の手などを改造して、塗布する器具も考案されているが（例えば実用新案登録第３０８８７２８号）、実際に利用してみると保持棒（孫の手部分）の形状が直線的であり力を入れて塗布することができないという欠点があった。
【考案の概要】
【考案が解決しようとする課題】
【０００３】  以上に述べた従来の方法では、他人の手を煩わせたり、正確に薬剤を塗布することができないという欠点があった。
【課題を解決するための手段】
【０００４】  上記の課題を解決するために、以下のような特徴を持つ薬剤塗布器具を考案した。
塗布部を保持する支柱部は、自身の手の力を正確に伝えるために弓形に緩く湾曲し、薬剤塗布部およびその固定部を含む、全体のおおむね三分の一の長さの部分（以下、ヘッド部と記す）が、簡単に取り外すことでき、またヘッド部に固定される塗布部は、表裏両面（片面使用も可能）が使用できることを特徴とした薬剤塗布器具である。
【図面の簡単な説明】
【０００５】
【図１】  本考案の実施形態を示す薬剤塗布器具の全体図
【図２】  ヘッド部と固定部の接続部分図
【図３】  ヘッド部断面図
【考案を実施するための形態】
【０００６】  以下、本考案の実施の形態を図１〜図３に基づいて説明する。
【０００７】  図１においては、１は手で握るための固定部で、２は固定部１とヘッド部３を繋ぐ接続部である。固定部１とヘッド部３は、接続部２を含めて弓形の形状を実現する支柱部を形成する。また５は、ヘッド部に固定された薬剤塗布部となる。
また図２においては、接続部２は、固定部１とヘッド部３を固定する固定用ボルト４で形成される。
図３においては、ヘッド部３と薬剤塗布部４の固定方法を示している。ヘッド部３と薬剤塗布部５は、両面テープもしくはマジックテープ等、着脱可能な固定材で固定される。もしくは薬剤塗布部の断面に切れ込みをいれ、そこにヘッド部を差し込む方法で固定してもよい。
【実施例】
【０００８】  固定部１、接続部２、ヘッド部３および固定用ボルト４は、合成樹脂、又は、金属、又は、木製など、体力のない老人でも扱える軽量な素材で構成される。
また薬剤塗布部５は、スポンジやパフなど肌に優しい素材とし、目的によって大、中、小と大きさや固さを変えることが可能とする。
また接続部２は、組み合わされた固定部１とヘッド部３を固定するために、貫通穴を持ち、そこに固定用ボルト４を通して、固定部１とヘッド部３が外れないようにしている。
【符号の説明】
【０００９】１  固定部
２  接続部
３  ヘッド部
４  固定用ボルト４
５  薬剤塗布部
【図１】
0003204768.tif 000003
【図２】
0003204768.tif 000004
【図３】
0003204768.tif 000005
(57)【要約】      （修正有）【課題】ドアや門扉等を重りの力で自動的に閉める機具であって、パイプの上部に差し込むだけでワイヤーに吊るした重りをパイプ内の中心に垂らすことが出来るようにしたパイプ設置用滑車機具を提供する。【解決手段】下方をパイプに差し込める径の円柱状２にし上部を円柱ブロック１の縦側面に滑車の幅で滑車外輪部の溝に通したワイヤーが円柱の中心から下方に通るよう削り込み３を入れ、その位置に滑車４を脱着固定出来るように設置した。【選択図】図２
0003204766.tif 000002
【実用新案登録請求の範囲】
【請求項１】
本考案は下部をパイプに差し込める径の円柱状▲２▼とし、その上部の円柱状のブロック▲１▼縦側面に滑車の幅の削り込み▲３▼を  滑車▲４▼に通したワイヤーがパイプ中心を通過出来るように  入れたパイプ設置用滑車  機具の考案。
【考案の詳細な説明】
【考案の詳細な説明】
【技術分野】
【０００１】本考案は、パイプ上端に差し込むだけで  重りのついたワイヤーをパイプ内の中心に設置出来るようにしたパイプ用滑車の機具である。【０００２】従来、ドア等を開けた場合自動的に閉める機具はいろいろあったが  高価で機種もそれぞれあって取り付けも面倒であった、またワイヤーと滑車と重りを使いドアを閉める手法はあったが、重りも垂れ下げたままでは見た目も悪く危険であった、またパイプ内に垂らすための専用の滑車の機具等は無かった。
【考案が解決しようする課題】
【０００３】  本案は、重りをパイプ内で上下させれば見た目も良く安全であるので、重りをパイプの中心に吊るす事が出来るようにした専用の器具で、またドアは開閉に応じてワイヤーの牽引角度が少し変わるので、本案の機具もワイヤーの角度に応じて向きが変化出来るようにしたものである。
【課題を解決するための手段】
【０００４】この課題を解決するための請求項１の考案は、下方をパイプに差し込める径の円柱状▲２▼にし  上部を円柱ブロック▲１▼の縦側面に滑車の幅で  滑車外輪部の溝に通したワイヤーが円柱の中心から下方に通るよう削り込み▲３▼を入れ、その位置に滑車▲４▼を脱着固定出来るように設置した構造のパイプ設置用滑車
【０００５】本案を使用するには  開きドアであれば  ドアが閉まった状態の時  対する壁に人間の身長よりも長いパイプを縦に設置固定し、そのパイプ上部から内部にワイヤーを付けた重りをたらし、一度  滑車▲４▼を外した状態で  滑車幅で削り込んだスペース内にワイヤーを通し  つぎに滑車をはめ込み  ピン▲５▼で滑車を設置固定し  本案のパイプ設置用滑車をパイプ上部に差し込む、長さを調節したワイヤーの端を  ドア上部に設置したフックに引っかければ、ドアの開閉に伴いパイプ内に通した重りで自動でドアが閉まるようにした機具である。
【０００６】本案を使用することにより  簡単にパイプ内中心に滑車を通して重りを垂らすことが出来るのでワイヤーを隠した状態で設置出来  安全である、本案はパイプ上部に差し込んであるだけなので  ドアの開閉に伴い牽引しているワイヤーの角度の変化にも自在に動いて対応出来る、簡易的で重りの力で門やドア等を閉める場所は多く存在するのでそれらの場所で大いに役立つ。
【図面の簡単な説明】
【０００６】
【図１】  本案請求項１の側面図
【図２】  本案請求項１の底面図
【図３】  本案請求項の使用状況図
【符号の説明】
【０００７】  ▲１▼  円柱状のブロック  ▲２▼  差し込み円柱部分  ▲３▼  削り込み部分
▲４▼  滑車  ▲５▼  ピン
【図１】
0003204766.tif 000003
【図２】
0003204766.tif 000004
【図３】
0003204766.tif 000005
(57)【要約】      （修正有）【課題】軽トラック荷台シート取り付け部分に設けて、フック式シート掛の横ずれ等を防止するとともに、雨水の侵入を軽減し脱着作業の手間を省くことができるフック式シート掛を提供する。【解決手段】小型トラックの荷台前方の運転席後部の水平桟に取り付けるフック式シート掛であり、断面がＬ字形からなる長尺の本体１と、本体の外側に取り付けた複数個の本体固定フック２と本体の内側の天板３の下部に取り付けたシート取り付けフック４を備える事を特徴とする。【選択図】図３
0003204704.tif 000002
【実用新案登録請求の範囲】
【請求項１】
小型トラックの荷台前方の運転席後部の水平桟に取り付けるフック式シート掛本体において、断面がL字形からなる長尺の本体１と、この本体１の外側に取り付けた複数個の本体固定フック２と前記L字形本体１の内側の天板３の下部に取り付けたシート取り付けフック４を設けた事を特徴とするフック式シート掛。
【考案の詳細な説明】
【技術分野】
【０００１】
本考案は軽トラック荷台シート取り付け部分に固定フックを設け「フック式シート掛」の横ずれ等を防止する。又、天板を設け雨水の侵入を軽減し脱着作業の手間を省く。
【背景技術】
【０００２】
軽トラックにシートを用いる場合、荷台部分とシートをひも等で結んでいた。又、雨水の侵入を防ぐ事が出来なかった。
【先行技術文献】
【特許文献】
【０００３】
【特許文献１】実登第３１７６７１４
【特許文献２】実登第３１１５０５５
【特許文献３】実登第３０６７７３７
【考案の概要】
【考案が解決しようとする課題】
【０００４】
荷台にシートを用いる場合、ひも等を結ぶ手間を要したが「シート側輪  管」をフックに掛ける事で手間を省け、又、天板を取り付けた事により雨水等の侵入を軽減出来、作業の手間を省く事を解決しょうとするものである。
【課題を解決するための手段】
【０００５】
本考案は軽トラック荷台に「フック式シート掛」に固定及び横ずれ防止のフックを取り付け、又、下部にシートフックを設け簡単にシートを脱着出来る事にした。又、天板を取り付ける事で雨水の侵入を軽減出来、問題点を解決した。
【０００６】
上述の様に本考案「フック式シート掛」は軽トラック荷台に脱着自由により従来の手間を省き、又、防水にも役立つ物である。
【図面の簡単な説明】
【０００７】
【図１】軽トラックへの「フック式シート掛」取付図である。
【図２】本考案「フック式シート掛」正面図である。
【図３】「フック式シート掛」側面図である。
【図４】「フック式シート掛」背面図である。
【考案を実施するための形態】
【０００８】
「フック式シート掛」の両側に設置した固定フック２で図１に示すように荷台前部に取り付ける。「取り付けフック」にシートのひも通し輪管を引っ掛け簡単にシートが張れ、又
、天板を設置した事により雨水の侵入を軽減出来る。
【実施例】
【０００９】
以下添付図面に従って一実施例を説明する。
１は耐久性のアルミ、プラスチック、鉄等適宜素材にて一体化形成された本体。
２は荷台に本体を固定するフックで横ずれ防止にも役立つものである。
３は雨水の侵入を軽減する為に本体同様アルミ、プラスチック、鉄等適宜素材にて天板とした。
４はシートを取り付けるフックであり、従来ひも等で結んでいた手間を省く効果がある。
【００１０】
シート不要時は本体自体を持ち上げれば簡単に取り外せ脱着も簡単に実施出来るものである。
【符号の説明】
【００１１】
１  フック式シート掛
２  本体固定フック
３  天板
４  シート取り付けフック
【図１】
0003204704.tif 000003
【図２】
0003204704.tif 000004
【図３】
0003204704.tif 000005
【図４】
0003204704.tif 000006
(57)【要約】      （修正有）【課題】玉掛け時の複数のワイヤ間の絡みを防止し、主索の軽量化を図る簡易的な玉掛け索の絡み防止用具を提供する。【解決手段】ワイヤの絡み防止具本体がワイヤロープを主部材として「８字」状に加工されており、中央部の円環および左右の円環の外側から内側へ、ワイヤを交差してフックに取り付けることで、２〜８本のワイヤを整理し絡みを防止する。【選択図】図１
0003204738.tif 000002
【実用新案登録請求の範囲】
【請求項１】
フックから吊下げした複数の主索を用いて吊荷を玉掛けし運搬する際に、前述の絡み防止索を用いて複数の主作同士の絡みを防止する。また、当該の主部材がワイヤロープであることが特徴。
【考案の詳細な説明】
【技術分野】
【０００１】本発明は、吊り荷を２〜８本の玉掛用の主索を用いて荷役作業を行う際に、玉掛用の主索同士の絡みを防止し、かつ主索の長寿命化を図ることが可能な玉掛け索の絡み防止用具に関する。
【背景技術】
【０００２】建設現場での各部材の取付け・取外しは、クレーンを用いるものが多く、長尺物にはそれとほぼ同じ長さ（８〜９ｍ）のワイヤーロープを用いる。建物外部の足場組立・解体は地上１００ｍ級の足場上作業では、弱風下でも雲は流れており、作業過程である玉掛けにおいて、作業者の危険や恐怖感が伴い、主索同士が絡みつき解く時間を要するなど玉掛作業者のリスクが甚大である。
【先行技術文献】
【特許文献】
【０００３】
【特許文献１】特開２０１２−１３５３
【特許文献２】特開平１０−３１０３５８
【特許文献３】実開平０６−０３２４６４
【特許文献４】実開平０５−０９５９７０
【考案の概要】
【考案が解決しようとする課題】建設現場での「玉掛け」において、複数のワイヤ間の絡み防止および作業時間の効率化、作業員の安全確保を目的とした吊り具を提供する。また、当該吊り具の主部材に主部材にワイヤロープを用いることにより、作業時の潰れ・伸縮等の損耗を減らし、本体および主索の長寿命化を図る。
【課題を解決するための手段】本発明の絡み防止具は、「８字」状に形成され、中央および３つのリング状で形成されており、ワイヤは各リングの外側から内側へ交差させてフックに仕掛ける。これにより、当該絡み防止具は各リングに２点（計６点）に加え、当該絡み防止具を経由しない玉掛けにより最大８点のワイヤが絡みつかないように整理される。
【考案の効果】本発明は構造自体が簡便なことから主索の絡み防止や損耗の回避だけでなく、作業員の理解・安全性・作業効率の向上を図ることができる。また、本体の主部材にワイヤロープを用いることで作業時の潰れや伸縮等の変形に対し、作業後は主部材の構造特性により復元し、耐久性も備わる。
【図面の簡単な説明】
【図１】本発明の絡み防止具を用いて、複数の吊り下部材を運搬する形態を示す斜視図である。
【図２】本発明の平面図
【図１】
0003204738.tif 000003
【図２】
0003204738.tif 000004
【手続補正書】
【提出日】平成27年12月8日(2015.12.8)
【手続補正１】
【補正対象書類名】実用新案登録請求の範囲
【補正対象項目名】全文
【補正方法】変更
【補正の内容】
【実用新案登録請求の範囲】
【請求項１】
建設現場のクレーン吊荷作業においては、フックから吊下げした複数のワイヤロープを用いて吊荷を玉掛けし運搬する。
フック自体は軽く指で押すだけで回ってしまうが、これは重量物の方向を変えることで吊荷の反転を抑える重要な回転体となっている。
クレーン作業ではワイヤロープを取り付けると、風速１０ｍ以下の風やクレーンの旋回時においてもフックが回転するため、高所作業になるほど影響が出やすい。
吊下げたワイヤロープは長さや本数が多くなるほど複雑に絡むため、再び荷役作業を行う際は絡みを解かなければならず、作業効率が落ちるだけでなく、高所作業時のストレスが作業者に加わる
フックに下げたワイヤロープに負荷が加わると、ワイヤは撚りが戻ろうとする（伸縮性がある）ため、荷重の衝撃を吸収し安全性を保つ。
しかし、長期間使用するとワイヤロープは伸びてしまい強度は低下する。
玉掛索に使用するワイヤロープは一般にＦ．Ｃ（ファイバーコア）を用いており、繊維の芯であるため、扱い易く加工しやすいが寿命が短い。
また、クレーンウインチ用のＩ．Ｗ．Ｒ．Ｃ（インデペンデント．ワイヤロープ．コア）は独自の反転性鋼製芯が組み込まれており、Ｆ．Ｃロープに比較すると強度は高いが伸びは少なく、反発力もあるため硬く、玉掛索としては使われない。
以上の点から、本発明はＦ．Ｃワイヤロープを複数用いた荷役作業において、作業性の向上やワイヤロープ同士の絡みを防止し、長寿命化を図ることを目的とした絡み防止具である。
本発明は、４つの円環で構成されており、中心部は１６ｍｍのＩ．Ｗ．Ｒ．Ｃ、中心部の両脇および上部のフック掛部は１４ｍｍのＦ．Ｃワイヤロープを素材として用いており、円環同士はアルミ圧着により結合されている。
本発明の上円環部をフックに掛け、両脇の円環および中央の表裏から別々に通すことでワイヤロープ間隔を保ち、絡みにくく整理される。
また、本発明の主部材をワイヤロープとしており、吊荷角度により柔軟に形を変化させるが、本発明自体に吊荷荷重は加わらないため、作業後は主部材の特性により元の形に復元される。
【手続補正書】
【提出日】平成28年3月23日(2016.3.23)
【手続補正１】
【補正対象書類名】実用新案登録請求の範囲
【補正対象項目名】全文
【補正方法】変更
【補正の内容】
【実用新案登録請求の範囲】
【請求項１】
８字状に形成され、中央および３つのリング状で形成されてなることを特徴とする玉掛け索の絡み防止用具
(57)【要約】      （修正有）【課題】ベンチプレスからスクワットへのラックの変換作業の容易化及び、ベンチ台を簡易化し長椅子として使用ができるようにする専用アダプターを提供する。【解決手段】ベンチ台に固定ホールの付いた専用アダプター１であって、ラック本体５に固定金具２を取り付け、固定金具２に専用アダプター１をはめ込み、さらに固定ホールにベンチ台の足を挿入させることで、ベンチ台を固定する。【選択図】図１
0003204739.tif 000002
【実用新案登録請求の範囲】
【請求項１】
スクワット、ベンチ共用ラックの使用する位置決めホールの付いた専用アダプターと固定金具。
【考案の詳細な説明】
【技術分野】
【０００１】スクワット、ベンチプレス共用ラックの改良について
【背景技術】
【０００２】スクワット、デッドリフト、ベンチプレスのウエイトトレーニング種目は、古くからビッグスリーと呼ばれ、ウエイトトレーニングの基本と位置づけられている。
この中で、スクワットとベンチプレスはラックを使用しなくてはならない。
別々に揃えるなら多くの初期投資が必要となるので、共用のラックが各メーカーから販売されている。
しかし現行のラックでは、スクワットからベンチプレスへ、もしくはその反対の種目移行に必須のラックの変換作業が複雑で時間と労力を要する。
複数の人員が数分かけて設置しなくてはならない。
更には、従来の共用ラックのベンチ台は、大がかりで重量のあるアダプターが付属しておりスクワット時には邪魔になり置き場所に困るのが実態である。
【考案の概要】
【考案が解決しようとする課題】
【０００３】この提案は、従来のベンチプレス用のアダプターでは不可能であったベンチプレスからスクワットへのラックの変換作業を容易に行うと共に、スクワットでは使用しないベンチ台を、トレーニング中の休憩用の長椅子として使用ができるようにしたものである。
【課題を解決するための手段】
【０００４】本考案の位置決めホール付きベンチ台固定アダプターを、専用のアダプター固定金具にはめ込む。この専用のアダプター固定金具はラックに固定されている。その後、ベンチ台の足をベンチ台固定アダプターの位置決めホールに差し込む。【０００５】ベンチ台も従来のアダプターの付属していない簡易なものでよいので、長椅子として利用できる。置き場所にも困らない。
【考案の効果】
【０００６】本考案のベンチ台固定アダプターは競技変更時に、ただはめ込むだけで固定できる。さらに、ベンチ台の足を位置決めホールに、はめ込むだけでベンチ台も速やかに固定できる。ベンチ台についても従来の共用ラックにみられる大がかりな装置をベンチ台に取り付ける必要がないため、簡易なベンチ台で十分である。
このため一人で１分以内に設置が完了する。【０００７】本考案の位置決めホール付きアダプターは構造が簡易で堅牢であるため、製造のコストも従来品に比べて安くできる。
【考案を実施するための形態】
ラック本体に固定金具を取り付ける。これは溶接やねじ止めなどで行い恒久的なものである。ベンチ台使用時に位置決めホール付き専用アダプターを金具にはめ込む。これは容易に脱着可能なものである。はめ込んだ後、ベンチ台の足を位置決めホールに挿入する。これでベンチ台の固定は完了する。
【図面の簡単な説明】
【０００８】
【図１】固定金具の取り付け位置と、専用アダプターの取り付け位置
【図２】専用アダプターの形状
【図３】ベンチ台の形状
【実施例】１は専用アダプターであり、２の固定金具にはめ込む。１の専用アダプターには３の位置決めホールがある。この３の位置決めホールに、４のベンチ台の足を差し込みことで６のベンチ台の設置が完了する。
【符号の説明】１、  専用アダプター
２、  固定金具
３、  位置決めホール
４、  ベンチ台の足
５、  ラック本体
６、  ベンチ台
【産業上の利用可能性】
【０００９】  従来の共用ラックに比べてベンチ台の設置が迅速であるため、練習時の負担が少なくて済む。大会に使用する場合も、運営時間の短縮につながる。
【図１】
0003204739.tif 000003
【図２】
0003204739.tif 000004
【図３】
0003204739.tif 000005
【手続補正書】
【提出日】平成28年3月17日(2016.3.17)
【手続補正１】
【補正対象書類名】実用新案登録請求の範囲
【補正対象項目名】全文
【補正方法】変更
【補正の内容】
【実用新案登録請求の範囲】
【請求項１】
ベンチ台の固定ホールの付いた専用アダプター。
(57)【要約】【課題】作戦用ボードが競技規則に定められたコートの縮図であること、ゴールが立体であり作戦用ボードに設置できること、立体選手人形の肩関節腰部が可動し、右手でも左手でもミニチュアハンドボールが自在に移動できるというハンドボール競技作戦用ボード・立体ゴール・立体選手人形・ミニチュアハンドボールセット一式を提供する。【解決手段】着磁性金属板に公益財団法人日本ハンドボール協会競技規則の第１条コートを参照した縮図を描いたハンドボール競技作戦用ボード上に立体ゴール底部に磁石を付けて設置し、肩関節腰部が可動する立体選手人形の両手に着磁性金属、両足裏に磁石を設け、ミニチュアハンドボールに磁石を入れ立体選手人形間の右手、左手のどちらでも自在にミニチュアハンドボールを移動させることができるように構成した。【選択図】図２
0003204399.tif 000002
【実用新案登録請求の範囲】
【請求項１】
着磁性金属板に公益財団法人日本ハンドボール協会競技規則の第１条コートを参照した縮図を描いたハンドボール競技作戦用ボード上に立体ゴール底部に磁石を付けて設置し、肩関節腰部が可動する立体選手人形の両手に着磁性金属、両足裏に磁石を設け、ミニチュアハンドボールに磁石を入れ立体選手人形間の右手、左手のどちらでも自在にミニチュアハンドボールを移動させることができる、これら全体を一式として用意し、使用することを特徴とするハンドボール競技作戦用ボード。
【考案の詳細な説明】
【技術分野】
【０００１】本考案は、ハンドボール競技作戦用ボード・立体ゴール・立体選手人形ミニチュアハンドボールセットに関するものでゴール・選手人形・ミニチュアハンドボールを立体化することで、より視覚的・空間的に現実に近く選手のイメージを想起させることに役立つ。
【背景技術】
【０００２】従来、各種スポーツ競技の選手に対する戦術・ルール・競技技術等の指導教育用として作戦ボードと称される製品が提案され実用化されている。
【先行技術文献】
【特許文献】
【０００３】
【特許文献１】Ｕ３１７８３２
【特許文献２】Ｐ２０１３−１３６９５Ａ
【考案の概要】
【考案が解決しようとする課題】
【０００４】本考案が解決しようとする問題点は、作戦用ボードが競技規則に定められたコートの縮図であること、ゴールが立体であること、選手人形が立体であり肩関節腰部が可動し、右手でも左手でもミニチュアハンドボールが、自在に移動できるというハンドボール競技作戦用ボード・立体ゴール・立体選手人形が存在しない点である。
【課題を解決するための手段】
【０００５】着磁性金属板に公益財団法人日本ハンドボール協会競技規則の第１条コートを参照した縮図を描いたハンドボール競技作戦用ボード上に立体ゴール底部に磁石を付けて設置し、肩関節腰部が可動する立体選手人形の両手に着磁性金属、両足裏に磁石を設け、ミニチュアハンドボールに磁石を入れ立体選手人形間の右手、左手のどちらでも自在にミニチュアハンドボールを移動させることができる、これら全体を一式として用意し、使用することを特徴とするハンドボール競技作戦用ボード。
【考案の効果】
【０００６】競技規則に基づいたハンドボールコートと立体のゴールを用いることにより、立体選手人形間のスペースは、現実に近いものとなり選手のイメージを想起させやすく、戦術が理解しやすくなる。また指導者も立体選手人形を用いて攻撃時や防御時にどのような体勢をとれば良いのかを指示しやすくなる。
【図面の簡単な説明】
【０００７】
【図１】本考案の一部である着磁性金属板上にハンドボールコートを描いた作戦ボードと立体ゴールの平面図
【図２】本考案の一部である着磁性金属板上にハンドボールコートを描いた作戦ボードと立体ゴールの立体図
【図３】本考案の一部である立体ゴール
【図４】本考案の一部である立体選手人形
【図５】本考案の一部であるミニチュアハンドボール
【考案を実施するための形態】
【０００８】  以下、本考案の実施の形態を説明する。
着磁性を有する金属板の表面にハンドボールコート（１）を描き立体ゴール（２）の底部に磁石（３）をつけ設置できる構造で立体選手人形（４）の両手に磁性金属（５）足裏に磁石（６）を設け、立体選手人形の前面及び背面に番号シール（７））を貼り、球面の一部に穴をあけ磁石（８）を入れたミニチュアハンドボール（９）を形成し、これら全体を一式として用意する。
本考案は以上のような構造である。
【実施例】
【０００９】  本考案を使用するとき、指導者は、水平または垂直にハンドボール競技用作戦ボードを持ち、戦術や攻撃時及び防御時の立体選手人形の体勢や立体選手人形間の空いている空間を選手に指導できる。また選手同士でも異なった方向から自身の位置を見ることにより、お互いの位置の確認や動きの確認ができる。
【符号の説明】
【００１０】  （１）ハンドボールコート
（２）立体ゴール
（３）底部に磁石
（４）立体選手人形
（５）着磁性金属
（６）足裏に磁石
（７）番号シール
（８）磁石
（９）ミニチュアハンドボール
【図１】
0003204399.tif 000003
【図２】
0003204399.tif 000004
【図３】
0003204399.tif 000005
【図４】
0003204399.tif 000006
【図５】
0003204399.tif 000007
(57)【要約】      （修正有）【課題】Ｔツャツ等の洗濯物が早く綺麗に乾かせるように、ハンガーの下部に楕円型のリングを設けた、楕円リング付きの衣類ハンガーを提供する。【解決手段】ハンガー１の下部両端に孔付きのボスを設け、楕円リング３を取りつけたことを特徴とする。【選択図】図１
0003204397.tif 000002
【実用新案登録請求の範囲】
【請求項１】
ハンガー（１）の下部両端に孔付きのボス（２）を設け、楕円リング（３）を設けた事を特徴とする楕円リング付きのハンガーである。
【考案の詳細な説明】
【技術分野】
【０００１】本考案はＴツャツ等の洗濯物が早く綺麗に乾かせるように、ハンガーの下部に楕円リングを設けた、楕円リング付きの衣類ハンガーに関するものである。
【背景技術】
【０００２】従来、Ｔシャツ等は衣類ハンガーを使用しますが、天候が悪い時や室内干し時には、乾きにくいことがあった。
【先行技術文献】
【特許文献】
【０００３】
【特許文献１】
【考案の概要】
【考案が解決しようとする課題】
【０００４】  これは次のような欠点があった。
イ）従来のハンガーでＴツャツ等衣類の洗濯物を干すと、Ｔシャツの前面と背面部が密着して通気性が悪く、乾かない事があった。
ロ）また干す時に前面部と背面部に、空間を保つために広げても空間を維持することができなかった。
ハ）乾いた後に多くのしわができることがある。
本考案はこれらの欠点を除くためになされたものである。
【課題を解決するための手段】
【０００５】  ハンガー（１）の下部両端付近に孔付きのボス（２）を設け、楕円リング（３）を設けてハンガーと楕円リングを結合する。
本考案は以上の構成による、楕円リング付きの衣類ハンガーである。
【考案の効果】
【０００６】  （イ）  ハンガーにＴシャツ等衣類を取り付けるだけで、自然に上部から中心部にかけて空間が出来るので、洗濯物を干すのに短時間でできる。
（ロ）  衣類を干した後は前面部と背面部の空間は維持出来るので、通気性がよく乾くのが速く、ふっくらと仕上がる。
（ハ）  乾いた後は衣類に清潔感があり、しわが少なくなった。
【図面の簡単な説明】
【０００７】
【図１】  本考案の斜視図である。
【図２】  本考案の分解斜視図である。
【考案を実施するための形態】
【０００８】以下、考案を実施するための形態について説明する。
洗濯物ハンガー（１）の下部の両端に穴付きのボス（２）を設ける。
楕円リング（３）の両端に穴（４）を設ける。
洗濯物ハンガー（１）の穴付きボス（２）に楕円リング（３）の両端の穴（４）に合わせて圧入ピン（５）にて結合する。
本考案は以上のような構造である。
本考案をＴシャツ等に使用するときは、楕円リング付き洗濯物ハンガーを、Ｔシャツの首の部分から腕側へ片側ずつ挿入し、シャツの下部を軽く引っ張り、ハンガーが衣類の中央になるようにする。
【符号の説明】
【０００９】  １ハンガー
２堕円リング取り付けボス
３堕円リング
４楕円リングの穴
５圧入ピン
【図１】
0003204397.tif 000003
【図２】
0003204397.tif 000004